(57)【特許請求の範囲】
【請求項１】
ＳＹＮＣ信号及びバースト信号を映像信号に重畳した複合映像信号を送信する、少なくとも２つの映像送信装置の信号を受けるケーブル補償装置であって、
ゲイン調整を行う第１の増幅器と、該第１の増幅器の出力を受け周波数調整を行う第２の増幅器と、該第１の増幅器と第２の増幅器の出力を加算する第１の加算器で構成する第１のケーブル補償回路と、
ゲイン調整を行う第３の増幅器と、該第３の増幅器の出力を受け周波数調整を行う第４の増幅器と、該第３の増幅器と第４の増幅器の出力を加算する第２の加算器で構成する第２のケーブル補償回路と、
該第１、第２のケーブル補償回路の出力を選択し且つ出力する第１のセレクタ回路と、第１、第２のケーブル補償回路の入力を選択し且つ出力する第２のセレクタ回路と、第２のセレクタ回路の出力を受けＳＹＮＣ信号のタイミングとバースト信号のタイミングをそれぞれ出力するタイミング発生回路と、タイミング発生回路のＳＹＮＣ信号タイミングで第１のセレクタ回路出力に含まれるＳＹＮＣ信号の振幅値を検出し且つ出力する低域分検出回路と、タイミング発生回路のバースト信号タイミングで第１のセレクタ回路出力に含まれるバースト信号の振幅値を検出し且つ出力する高域分検出回路と、低域検出回路出力をアナログ−デジタル変換する第１のＡＤ変換器と、高域検出回路出力をアナログ−デジタル変換する第２のＡＤ変換器と、ケーブル補償のスタート信号を出力するトリガー回路と、トリガー回路の出力を受け第１、第２のセレクタ回路にセレクト信号を出力し且つ第１及び第２のＡＤ変換器の出力がそれぞれあらかじめ設定した低域用基準値と高域用基準値と等しくなるよう第１、第２増幅器または第３、第４増幅器にフィードバック値を返し、第１、第２のＡＤ変換器の出力と設定した基準値が等しくなるとフィードバック値をホールドするマイクロプロセッサと、マイクロプロセッサからそれぞれ第１，２，３，４の増幅器にフィードバックする値をデジタル−アナログ変換する第１，２，３，４のＤＡ変換器とを具備することを特徴とするケーブル補償装置。
【発明の詳細な説明】
【０００１】
【発明の属する技術分野】
本発明はＴＶカメラ等の伝送路において、長距離伝送を行うことで発生する伝送損失の補償を行うケーブル補償装置に関する。
【０００２】
【従来の技術】
従来、ケーブル補償装置は特開平９−２１９８０３号公報に記載されたものが知られている。
【０００３】
図６に従来のケーブル補償装置の構造を示しており、ＴＶカメラ等の映像信号装置１０１から伝送ケーブルを経て送られてくる映像信号の特性をケーブル補償装置１０３で補償するものである。映像信号装置１０１は低域基準信号と高域基準信号を映像信号に加算器１０２で加算して送信している。ケーブル補償装置１０３は、初段にｆ特調整用アンプ１０４と、また、前記ｆ特調整用アンプ１０４出力に含まれる低域基準信号の振幅及び高域基準信号の振幅を検出するＳｌ振幅検出回路１０５とＳｈ振幅検出回路１０６と、それらの検出値ｓｌ、ｓｈを比較する比較器１０８とを設け、ｓｌ＞ｓｈのとき比較器１０８はｆ特調整用アンプ１０４にフィードバックする補償量を増大させる動作をし、逆にｓｌ＜ｓｈのときはフィードバックする補償量を減衰させる動作を行う。更に次段では、ゲイン調整アンプ１０９と、前記ゲイン調整アンプ１０９出力に含まれる低域基準信号の振幅を検出する振幅検出器１１０と、その検出した振幅のレベルｓｌと基準レベルＶｒｅｆ（ｌ）とを比較するための比較器１１１を備え、ｓｌと基準レベルＶｒｅｆ（ｌ）が等しくなるようにゲイン調整用アンプ１０９にフィードバックする回路構成を具備している。
【０００４】
【発明が解決しようとする課題】
前述した従来のケーブル補償装置の構成では、ｆ特調整用アンプとゲイン調整用アンプで構成する１つのケーブル補償回路に対して、１つのフィードバック補償用の回路を必要とする。よって複数台の映像信号送信装置のケーブル補償を行う場合、複数のフィードバック補償用の回路が必要となり、容易に回路規模を削減することが困難である。また、常時ケーブル補償回路へフィードバック動作が行われており、伝送ケーブルを経て受信した映像信号に外乱が重畳された場合には、受信した信号を基にｆ特調整用アンプ及びゲイン調整用アンプにフィードバックする補償量が変動するためケーブル補償回路出力が安定しない。
【０００５】
したがって、本発明の目的は、複数台の映像信号送信装置のケーブル補償を小規模な回路規模で実現し、且つ受信する信号に外乱が重畳しても安定したケーブル補償を行うことを目的とする。
【０００６】
【課題を解決するための手段】
この課題を解決するために本発明は、複数台の映像信号送信装置に対して、複数のケーブル補償回路部とマイクロプロセッサを用いたケーブル補償制御部で構成する。これにより、複数台の映像信号送信装置のケーブル補償を小規模な回路規模で実現し、且つ受信する信号に外乱が重畳しても安定したケーブル補償装置が得られる。
【０００７】
【発明の実施の形態】
本発明は、複数台の映像信号送信装置に対して、複数のケーブル補償回路部とマイクロプロセッサを用いたケーブル補償制御部で構成したものであり、第１のケーブル補償回路部の入出力映像信号がセレクタを経てケーブル補償制御部に入力される。ケーブル補償制御部では、入力された映像信号とマイクロプロセッサに設定した基準値を基にケーブル補償回路部にフィードバックを施し、ケーブル補償が終了した時点でケーブル補償回路部へのフィードバック値を保持する。次に、第２のケーブル補償回路部へセレクタを用いてケーブル補償制御部と接続し、前述の第１のケーブル補償回路部と同じ作用をする。
【０００８】
以下、本発明の実施の形態について、図１から図５を用いて説明する。
【０００９】
（実施の形態１）
図１は、本発明の実施の形態１によるケーブル補償装置を表すブロック図である。図１において、映像信号装置１、２は映像信号にＳＹＮＣ信号、バースト信号を重畳した複合映像信号を出力し、ケーブル補償装置の入力信号となるものである。
【００１０】
映像信号装置１の複合映像信号は伝送ケーブルを経てゲイン調整アンプ３、ｆ特調整アンプ４、加算器５で構成されるケーブル補償回路６に入力される。ゲイン調整アンプ３は図３のアンプゲイン特性を有しており周波数に対して補償レベルＹ１にてＧＹ１なるアンプゲイン特性となる。ｆ特調整アンプ４は図４のアンプゲイン特性を有しており周波数に対して補償レベルＣ１にてＧＣ１なるアンプゲイン特性となる。
【００１１】
トリガ−回路２３からマイクロプロセッサ１６にケーブル補償命令を出すと、マイクロプロセッサ１６は、デジタル−アナログ変換動作を行うＤＡＣ１９、ＤＡＣ２０を経てゲイン調整アンプ３、ｆ特調整アンプ４にそれぞれ低レベルの補償レベルＹ１、Ｃ１をフィードバックし、セレクタ１１出力に図２のＳＩＧで示すケーブル補償回路６の出力信号を選択させ、セレクタ１７出力にケーブル補償回路６の入力信号を選択させる制御信号を出す。タイミング発生回路１８はセレクタ１７の出力信号に含まれるＳＹＮＣ信号に同期した位相のＰＹ信号、バースト信号に同期した位相のＰＣ信号を出力する。
【００１２】
低域分検出回路１２はＰＹ信号のタイミングでＳＩＧのＳＹＮＣ信号の振幅値Ａを検出且つ出力し、高域分検出回路１３はＰＣ信号のタイミングでＳＩＧのバースト信号の振幅値Ｂを検出且つ出力する。ＡＤＣ１４は入力された振幅値Ａをアナログ−デジタル変換しＳＹ１なる値をマイクロプロセッサ１６に入力し、ＡＤＣ１５は入力された振幅値Ｂをアナログ−デジタル変換しＳＣ１なる値をマイクロプロセッサ１６に入力する。マイクロプロセッサ１６はＳＹ１、ＳＣ１を受け、あらかじめ設定したケーブル補償完了時のＳＹＮＣ信号に対する基準値ＳＹ、バースト信号に対する基準値ＳＣと比較する。
【００１３】
トリガー回路２３からマイクロプロセッサ１６にケーブル補償命令を出した時点では、マイクロプロセッサ１６からゲイン調整アンプ３、ｆ特調整アンプ４にはＹ１、Ｃ１の低レベルの補償レベルをフィードバックしており、マイクロプロセッサ１６での比較はＳＹ１＜ＳＹ、ＳＣ１＜ＳＣとなっている。次にマイクロプロセッサ１６はＹ１、Ｃ１を同時に増やしていきＳＹ１とＳＹが等くなった時点で、ＳＣ１とＳＣを比較し、ＳＣ１とＳＣが等しく且つＳＹ１とＳＹが等しくなるようにＹ１、Ｃ１を増減させる。ＳＹ１とＳＹ、ＳＣ１とＳＣがそれぞれ等しくなるとケーブル補償回路６はケーブル補償が完了し、マイクロプロセッサ１６はこのときのＹ１、Ｃ１を保持する。
【００１４】
同様にして、ケーブル補償回路１０のケーブル補償に対しても、セレクタ１１、セレクタ１７を切替えて前述の一連のフィードバック動作を同様に行う。またケーブル補償完了後、マイクロプロセッサ１６は、受信した複合映像信号の振幅値により変化するケーブル補償回路６へのフィードバック値Ｙ１、Ｃ１を保持するため、外乱が重畳し、受信した複合映像信号の振幅値が変化してもケーブル補償回路６の出力は変動しない。ケーブル補償回路１０の出力も同様にケーブル補償後は変動しない。
【００１５】
図５ではケーブル補償回路の入力信号の周波数特性を伝送ケーブル通過後の信号特性として表し、ケーブル長により周波数に対するレベルの傾きが異なり、これを補償するようにケーブル補償回路特性は前述のＹ１、Ｃ１のフィードバックにより決定する。よって、ケーブル補償後の複合映像信号出力は周波数に対して平坦になり、これを補償回路通過後の信号特性にて示す。
【００１６】
なお、実施の形態１では、複合映像信号を送信する映像信号装置におけるケーブル補償について記したが、Ｙ、Ｐｒ、Ｐｂ等のコンポーネントを送信するＴＶカメラ等の映像信号装置については、ケーブル補償時のみ映像信号装置の出力をカラーバー等に切り替え、且つ、Ｙ、Ｐｒ、Ｐｂ出力をＹ、Ｃに変換し出力すれば、Ｙ信号からＳＹＮＣ信号の振幅を検出し、Ｃ信号からバースト信号振幅を検出でき実施の形態１を適用できる。
【００１７】
【発明の効果】
以上のように本発明によれば、複数台の映像信号送信装置のケーブル補償を小規模な回路規模で実現し、且つ受信する信号に外乱が重畳しても安定したケーブル補償装置が得られる。
【図面の簡単な説明】
【図１】本発明の実施の形態１によるケーブル補償を示すブロック図
【図２】同、信号検出の部のタイミングを示すタイミング図
【図３】同、ゲイン調整アンプ３の特性図
【図４】同、ｆ特調整アンプ４の特性図
【図５】同、ケーブル補償回路の特性図
【図６】従来のケーブル補償装置を示すブロック図
【符号の説明】
１、２  映像信号送信装置
３、７  ゲイン調整アンプ
４、８  ｆ特調整アンプ
５、９加算器
６、１０  ケーブル補償回路
１１、１７  セレクタ
１２  低域分検出回路
１３  高域分検出回路
１４、１５  ＡＤ変換器
１６  マイクロプロセッサ
１８  タイミング発生回路
１９、２０、２１、２２  ＤＡ変換器
２３  トリガ−回路
２４  ケーブル補償制御回路
【図１】
0003864806.tif 000002
【図２】
0003864806.tif 000003
【図３】
0003864806.tif 000004
【図４】
0003864806.tif 000005
【図５】
0003864806.tif 000006
【図６】
0003864806.tif 000007